(57)【要約】【課題】貯蔵室内の特に手前側に収納物があっても、容量変更が容易である冷蔵庫を提供する。【解決手段】この発明に係る冷蔵庫は、手前側が開放可能な冷蔵室７の内部を上下に仕切る冷蔵室棚板３０を備える。冷蔵室棚板３０は、それぞれが平板状の手前側棚板３１と奥側棚板３２とに分割される。手前側棚板３１は、奥側棚板３２の手前側に水平に配置される。奥側棚板３２は、上面が手前側棚板３１の上面と面一な第１の状態と、上面と手前側棚板３１の上面とのなす角度が第１の状態とは異なる第２の状態とをとり得る。【選択図】図４
2019138557.tif 000002
【特許請求の範囲】
【請求項１】
手前側が開放可能な貯蔵室の内部を上下に仕切る棚板を備え、
前記棚板は、それぞれが平板状の第１の部分と第２の部分とに分割され、
前記第１の部分は、前記第２の部分の手前側に水平に配置され、
前記第２の部分は、上面が前記第１の部分の上面と面一な第１の状態と、上面と前記第１の部分の上面とのなす角度が前記第１の状態とは異なる第２の状態とをとり得る冷蔵庫。
【請求項２】
前記第２の状態の前記第２の部分は、前記貯蔵室の内部を前後に仕切ることが可能である請求項１に記載の冷蔵庫。
【請求項３】
前記貯蔵室内には、
前記第１の状態の前記第２の部分より奥側に配置された第１の冷気吹出口と、
前記第２の状態の前記第２の部分より手前側に配置された第２の冷気吹出口と、が設けられた請求項２に記載の冷蔵庫。
【請求項４】
前記棚板は、前記第１の部分と前記第２の部分とを連結するヒンジ部をさらに備えた請求項１から請求項３のいずれか一項に記載の冷蔵庫。
【請求項５】
前記第２の状態は、前記ヒンジ部を中心に前記第１の部分に対し前記第２の部分が下側に垂直になった状態である請求項４に記載の冷蔵庫。
【請求項６】
前記第１の部分を支持する第１の支持具と、
少なくとも前記第１の状態の前記第２の部分を支持する第２の支持具と、をさらに備えた請求項５に記載の冷蔵庫。
【請求項７】
前記貯蔵室内の最上部に設けられ、前記棚板と同構造の最上段棚遮蔽手段をさらに備えた請求項５又は請求項６に記載の冷蔵庫。
【発明の詳細な説明】
【技術分野】
【０００１】
この発明は、冷蔵庫に関するものである。
【背景技術】
【０００２】
バルーンを貯蔵室に着脱可能に配設し、貯蔵室を減容化する冷蔵庫が知られている（例えば、特許文献１参照）。
【先行技術文献】
【特許文献】
【０００３】
【特許文献１】特開２０１１−０７５１６７号公報
【発明の概要】
【発明が解決しようとする課題】
【０００４】
しかしながら、特許文献１に示されるような冷蔵庫においては、貯蔵室の容量を変更するためには、貯蔵室内に奥側にバルーンを入れる必要がある。このため、貯蔵室内の特に手前側に収納物があると、容量変更が困難である。
【０００５】
この発明は、このような課題を解決するためになされたものである。その目的は、貯蔵室内の特に手前側に収納物があっても、容量変更が容易である冷蔵庫を提供することにある。
【課題を解決するための手段】
【０００６】
この発明に係る冷蔵庫は、手前側が開放可能な貯蔵室の内部を上下に仕切る棚板を備え、前記棚板は、それぞれが平板状の第１の部分と第２の部分とに分割され、前記第１の部分は、前記第２の部分の手前側に水平に配置され、前記第２の部分は、上面が前記第１の部分の上面と面一な第１の状態と、上面と前記第１の部分の上面とのなす角度が前記第１の状態とは異なる第２の状態とをとり得る。
【発明の効果】
【０００７】
この発明に係る冷蔵庫によれば、貯蔵室内の特に手前側に収納物があっても、容量変更が容易であるという効果を奏する。
【図面の簡単な説明】
【０００８】
【図１】この発明の実施の形態１に係る冷蔵庫の側方断面図である。
【図２】この発明の実施の形態１に係る冷蔵庫の冷蔵室内に設けられた棚板の構成を模式的に示す斜視図である。
【図３】この発明の実施の形態１に係る冷蔵庫の冷蔵室内に設けられた棚板の構成を模式的に示す斜視図である。
【図４】この発明の実施の形態１に係る冷蔵庫の側方断面図である。
【図５】この発明の実施の形態１に係る棚板の回転ストッパーの構成を模式的に示す断面図である。
【図６】この発明の実施の形態１に係る棚板の回転ストッパーの構成を模式的に示す断面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図６は、この発明の実施の形態１に係るもので、図１は冷蔵庫の側方断面図、図２及び図３は冷蔵庫の冷蔵室内に設けられた棚板の構成を模式的に示す斜視図、図４は冷蔵庫の側方断面図、図５及び図６は棚板の回転ストッパーの構成を模式的に示す断面図である。
【００１１】
この発明の実施の形態１に係る冷蔵庫は、図１に示すように、断熱箱体５０を有している。断熱箱体５０は、前面（正面）が開口されて内部に貯蔵空間が形成されている。断熱箱体５０は、外箱、内箱及び断熱材を有している。外箱は鋼鉄製である。内箱は樹脂製である。内箱は外箱の内側に配置される。断熱材は、例えば発泡ウレタン、真空断熱材等であり、外箱と内箱との間の空間に充填されている。断熱箱体５０の内部に形成された貯蔵空間は、１つ又は複数の仕切り部材により、食品を収納保存する複数の貯蔵室に区画されている。
【００１２】
図１に示すように、ここでは、冷蔵庫１は、複数の貯蔵室として、例えば、冷蔵室７、切替室９、製氷室１０、冷凍室１１及び野菜室１２を備えている。これらの貯蔵室は、断熱箱体５０において上下方向に４段構成となって配置されている。
【００１３】
冷蔵室７は、断熱箱体５０の最上段に配置されている。冷蔵室７の前面に形成された開口部には、当該開口部を開閉する回転式の冷蔵室扉５１が設けられている。この実施の形態１における冷蔵室７は、手前側が開放可能な貯蔵室の一例である。冷蔵室扉５１は例えば両開き式（観音開き式）であり、右扉及び左扉により構成されている。冷蔵庫１の前面の冷蔵室扉５１（例えば、左扉）の外側表面には、操作パネル５が設けられている。
【００１４】
冷蔵室７の内部には、複数の冷蔵室棚板３０が設けられている。冷蔵室７の内部は、これらの冷蔵室棚板３０によって、上下方向に複数の空間（棚）に仕切られている。この実施の形態１における冷蔵室棚板３０は、貯蔵室の内部を上下に仕切る棚板の一例である。最下段の冷蔵室棚板３０の下側の空間は、チルド室８になっている。
【００１５】
切替室９は冷蔵室７の下方における左右の一側に配置されている。切替室９の保冷温度帯は、複数の温度帯のうちのいずれかを選択して切り替えることができる。切替室９の保冷温度帯として選択可能な複数の温度帯は、例えば、冷凍温度帯（例えば−１８℃程度）、冷蔵温度帯（例えば３℃程度）、チルド温度帯（例えば０℃程度）及びソフト冷凍温度帯（例えば−７℃程度）等である。製氷室１０は、切替室９の側方に隣接して切替室９と並列に、すなわち、冷蔵室７の下方における左右の他側に配置されている。
【００１６】
冷凍室１１は、切替室９及び製氷室１０の下方に配置されている。冷凍室１１は、主に貯蔵対象を比較的長期にわたって冷凍保存する際に用いるためのものである。野菜室１２は、冷凍室１１の下方の最下段に配置されている。野菜室１２は、主に野菜や容量の大きな（例えば２Ｌ等）の大型ペットボトル等を収納するためのものである。
【００１７】
冷蔵室７以外の各貯蔵室（切替室９、製氷室１０、冷凍室１１及び野菜室１２）は、それぞれ引き出し式の扉によって開閉される。これらの引き出し式の扉は、扉に固定して設けられたフレームを各貯蔵室の左右の内壁面に水平に形成されたレールに対してスライドさせることにより、冷蔵庫１の奥行き方向（前後方向）に開閉できるようになっている。
【００１８】
また、切替室９の内部及び冷凍室１１の内部には、食品等を内部に収納できる切替室収納ケース及び冷凍室収納ケースがそれぞれ引き出し自在に格納されている。同様に、野菜室１２内には、食品等を内部に収納できる野菜ケースが引き出し自在に格納されている。
【００１９】
冷蔵庫１は、各貯蔵室へ供給する空気を冷却する冷凍サイクル回路を備えている。冷凍サイクル回路は、圧縮機２、凝縮器（図示せず）、絞り装置（図示せず）及び冷却器３等によって構成されている。圧縮機２は、冷凍サイクル回路内の冷媒を圧縮し吐出する。凝縮器は、圧縮機２から吐出された冷媒を凝縮させる。絞り装置は、凝縮器から流出した冷媒を膨張させる。冷却器３は、絞り装置で膨張した冷媒によって各貯蔵室へ供給する空気を冷却する。圧縮機２は、例えば、冷蔵庫１の背面側の下部に配置される。
【００２０】
冷蔵庫１には、冷凍サイクル回路によって冷却された空気を各貯蔵室へ供給するための風路２０が形成されている。この風路２０は、主に冷蔵庫１内の背面側に配置されている。冷凍サイクル回路の冷却器３は、この風路２０内に設置される。また、風路２０内には、冷却器３で冷却された空気を各貯蔵室へ送るための送風機４も設置されている。送風機４が動作すると、冷却器３で冷却された空気（冷気）が風路２０を通って冷凍室１１、切替室９、製氷室１０及び冷蔵室７へと送られ、これらの貯蔵室内を冷却する。
【００２１】
風路２０は、冷蔵室送風ダクト２１に通じている。冷蔵室送風ダクト２１は、冷蔵室７の背面側から冷蔵室７の上側にまで回り込むようにして配置されている。冷蔵室送風ダクト２１の内部は、冷蔵室奥側吹出口２２と冷蔵室手前側吹出口２３と介して冷蔵室７の内部と通じている。冷蔵室奥側吹出口２２は、冷蔵室７内の背面部に形成されている。冷蔵室奥側吹出口２２は、冷蔵室棚板３０により仕切られた各棚に対応して設けられる。冷蔵室手前側吹出口２３は、冷蔵室７内の上面部における冷蔵室棚板３０の前端より手前側に形成されている。
【００２２】
冷蔵室７内の下面部、ここでは冷蔵室７内でも特にチルド室８内の下面部には、冷蔵室吸込口２４が形成されている。この冷蔵室吸込口２４を介して、冷蔵室７の内部は野菜室１２の内部と通じている。冷蔵室７内の冷気を冷蔵室吸込口２４で吸い込んで野菜室１２内に導入することで、野菜室１２が冷却される。野菜室１２を冷却した冷気は、図示しない野菜室用帰還風路を通って冷却器３のある風路２０内へと戻される。そして、冷却器３によって再度冷却されて、冷蔵庫１内を冷気が循環する。
【００２３】
冷却器３及び送風機４が設けられた風路２０から冷凍室１１、切替室９、製氷室１０及び冷蔵室７の各貯蔵室内へと通じる中途の箇所には、図示しないダンパが設けられている。各ダンパは、風路２０の各貯蔵室へと通じる箇所を開閉する。ダンパの開閉状態を変化させることで、各貯蔵室へと供給する冷気の送風量を調節することができる。また、冷気の温度は圧縮機２の運転を制御することにより調節することができる。
【００２４】
以上のようにして設けられた圧縮機２及び冷却器３からなる冷凍サイクル回路、送風機４、風路２０及びダンパは、貯蔵室の内部を冷却する冷却手段を構成している。
【００２５】
冷蔵庫１の例えば背面側の上部には、制御装置６が収容されている。制御装置６には、冷蔵庫１の動作に必要な各種の制御を実施するための制御回路等が備えられている。制御装置６が備える制御回路として、例えば、各貯蔵室内の温度及び操作パネル５に入力された情報等に基づいて圧縮機２及び送風機４の動作並びにダンパの開度を制御するための回路が挙げられる。すなわち、制御装置６は前述した冷却手段等を制御して、冷蔵庫１の動作を制御する。なお、各貯蔵室内の温度は、それぞれの貯蔵室に設置されたサーミスタ等により検知することができる。
【００２６】
また、制御装置６は、冷蔵庫１と外部機器との通信についても制御する。外部機器との通信とは、具体的に例えば、スマートフォンからの設定温度変更指示の受信や、スマートフォンへの庫内状況に関する情報の送信等である。
【００２７】
次に、図２及び図３を参照しながら、冷蔵室棚板３０の構成について説明する。なお、図２及び図３では、理解を容易にするため、冷蔵室棚板３０と後述する手前側棚受け３４及び奥側棚受け３５とを上下に離して示している。冷蔵室棚板３０は、手前側棚板３１、奥側棚板３２及びヒンジ部３３を備えている。手前側棚板３１は、棚板の第１の部分である。奥側棚板３２は、棚板の第２の部分である。したがって、冷蔵室棚板３０は、第１の部分と第２の部分とに分割されている。第１の部分である手前側棚板３１は、平板状である。第２の部分である奥側棚板３２も、平板状である。
【００２８】
手前側棚板３１は、奥側棚板３２の手前側に水平に配置される。奥側棚板３２は、第１の状態と第２の状態の２つの配置状態を少なくともとり得る。第１の状態は、奥側棚板３２の上面が手前側棚板３１上面と面一な配置状態である。第２の状態は、奥側棚板３２の上面と手前側棚板３１上面とのなす角度が前述した第１の状態とは異なっている配置状態である。すなわち、第２の状態では、奥側棚板３２の上面が手前側棚板３１上面と面一でない。
【００２９】
ヒンジ部３３は、手前側棚板３１の後端部と奥側棚板３２の前端部とは、ヒンジ部３３により連結されている。ヒンジ部３３は、手前側棚板３１と奥側棚板３２とを回転可能に連結している。ヒンジ部３３を軸にして、手前側棚板３１に対して奥側棚板３２を両方向に回転させることができる。
【００３０】
それぞれの冷蔵室棚板３０は、冷蔵室７の内側壁に設けられた手前側棚受け３４及び奥側棚受け３５により支持されている。手前側棚受け３４は、各冷蔵室棚板３０につき左右一対設けられている。奥側棚受け３５も、各冷蔵室棚板３０につき左右一対設けられている。手前側棚受け３４は、手前側棚板３１を支持する第１の支持具である。奥側棚受け３５は、奥側棚板３２を支持する第２の支持具である。特に、第２の支持具である奥側棚受け３５は、少なくとも前述した第１の状態の奥側棚板３２を支持するように構成されている。
【００３１】
手前側棚受け３４は、中空な角柱状を呈する。奥側棚受け３５は、この中空な手前側棚受け３４の内側に収容されることができる。そして、奥側棚受け３５は、この手前側棚受け３４の内側に収容された位置と、手前側棚受け３４から奥側に向けて突出した位置との間でスライド移動可能になっている。
【００３２】
図２に示すのは、奥側棚受け３５が手前側棚受け３４から奥側に向けて突出した位置にある状態である。同図に示す状態では、奥側棚受け３５は、奥側棚板３２を前述した第１の状態で支持している。この状態では、手前側棚板３１の上面と奥側棚板３２の上面とが面一である。したがって、手前側棚板３１及び奥側棚板３２の全体にわたって、収納物を載置できる。
【００３３】
図３に示すのは、奥側棚受け３５が手前側棚受け３４内に収容された位置にある状態である。同図に示す状態では、奥側棚受け３５は、奥側棚板３２を支持していない。支持を失った奥側棚受け３５は重力により下に引かれ、冷蔵室棚板３０はヒンジ部３３を中心にして折れ曲がる。この状態では、ヒンジ部３３を中心に手前側棚板３１に対し奥側棚板３２が下側に垂直になる。この状態が前述した第２の状態である。すなわち、この実施の形態１では、前述した第２の状態は、ヒンジ部３３を中心に手前側棚板３１に対し奥側棚板３２が下側に垂直になった配置状態である。
【００３４】
この第２の状態においては、冷蔵室棚板３０のうち手前側棚板３１にのみ収納物を載置でき、奥側棚板３２には収納物を載置できない。このため、冷蔵室７内の容量を容易に減少させることができる。そして、この際、奥側棚板３２の配置状態を変更すれば容量を変更できることから、貯蔵室内の特に手前側に収納物があっても、容量変更が容易である。
【００３５】
また、前掲の特許文献１（特開２０１１−０７５１６７号公報）に記載のものでは、貯蔵室内の容量を変更しない場合には、使用しないバルーンを冷蔵庫の外で保管しておかねばならない。これに対し、以上のように構成された実施の形態１に係る冷蔵庫１によれば、冷蔵室７内の容量の変更は、冷蔵室７内に元々ある冷蔵室棚板３０の配置状態を変更することで実現される。すなわち、冷蔵庫常設品以外の物体を利用することなく庫内容積を変更でき、容量を変更しない場合に使用しない部材を冷蔵庫の外で保管する必要もない。
【００３６】
なお、奥側棚受け３５の例えば下面部には、スライドつまみ３６が設けられている。使用者は、このスライドつまみ３６を持って奥側棚受け３５を移動させることで、容易に前述の第１の状態と第２の状態とを切り替えることができる。
【００３７】
なお、第２の状態は、前述したように、奥側棚板３２の上面と手前側棚板３１上面とのなす角度が前述した第１の状態とは異なっている配置状態である。したがって、第２の状態は、ヒンジ部３３を中心に手前側棚板３１に対し奥側棚板３２が下側に垂直になった配置状態に限られない。例えば、手前側棚板３１に対し奥側棚板３２が上側に垂直になってもよい。また、第２の状態における奥側棚板３２の上面と手前側棚板３１の上面とのなす角度は、１８０°（面一）以外でさえあれば９０°（垂直）でなくともよい。このような場合でも、奥側棚板３２の上面が水平でないため、収納物を載置できるのは手前側棚板３１だけである。したがって、前述と同様に冷蔵室７内の容量を容易に減少させることができる。
【００３８】
ここで、奥側棚板３２の奥行き方向の寸法は、冷蔵室棚板３０同士の上下方向の間隔に合わせられている。このため、図４に示すように、前述した第２の状態の奥側棚板３２により、その下の棚の空間が前後に仕切られる。すなわち、前述した第２の状態の奥側棚板３２は、冷蔵室７の内部を前後に仕切ることが可能である。なお、前述したように、第２の状態において奥側棚板３２と手前側棚板３１とは垂直でなくともよい。例えば、奥側棚板３２の奥行き方向の寸法が、冷蔵室棚板３０同士の上下方向の間隔以上であれば、奥側棚板３２と手前側棚板３１とが垂直でなくともその下の棚の空間を前後に仕切ることが可能である。
【００３９】
最上段の棚より上には冷蔵室棚板３０が存在しないため、最上段の棚を冷蔵室棚板３０の奥側棚板３２では前後に仕切ることができない。そこで、この実施の形態１の構成例では、図１に示すように、冷蔵室７内の最上部に最上段棚遮蔽板４０が設けられている。最上段棚遮蔽板４０は、冷蔵室棚板３０と同構造の最上段棚遮蔽手段である。そして、最上段棚遮蔽板４０は、例えば手前側棚受け３４及び奥側棚受け３５と同構造の支持具により支持されている。このため、図４に示すように最上段棚遮蔽板４０の奥側遮蔽板を垂直に下ろすことで、最上段の棚についても前後に仕切ることができる。このようにすることで、冷蔵室７内のチルド室８を除く全ての棚で、前後に仕切ることが可能である。
【００４０】
前述したように、冷蔵室７内には、冷蔵室奥側吹出口２２と冷蔵室手前側吹出口２３の２種類の冷気吹出口が設けられている。この実施の形態における冷蔵室奥側吹出口２２は、第１の冷気吹出口の一例である。そして、この実施の形態における冷蔵室手前側吹出口２３は、第２の冷気吹出口の一例である。
【００４１】
第１の冷気吹出口である冷蔵室奥側吹出口２２は、前述した第１の状態の奥側棚板３２より奥側に配置されている。このため、各奥側棚板３２が前述の第１の状態である場合には、図１に示すように冷蔵室奥側吹出口２２から吹き出した冷気が冷蔵室７内の各棚に行き渡る。
【００４２】
一方、各奥側棚板３２が前述の第２の状態となり冷蔵室７内が前後に仕切られると、図４に示すように、冷蔵室奥側吹出口２２からの冷気は奥側棚板３２及び最上段棚遮蔽板４０により遮られる。第２の冷気吹出口である冷蔵室手前側吹出口２３は、前述したように、冷蔵室棚板３０の前端より手前側、すなわち、前述した第２の状態の奥側棚板３２より手前側に配置されている。このため、奥側棚板３２及び最上段棚遮蔽板４０により冷蔵室７内が前後に仕切られた図４に示すような状況であっても、各棚の奥側棚板３２より手前側、すなわち、手前側棚板３１上の収納物に冷気を行き渡らせることができる。
【００４３】
なお、図１及び図４に示すように、冷蔵室送風ダクト２１内における、冷蔵室奥側吹出口２２と冷蔵室手前側吹出口２３との間の箇所には、切替ダンパ２５が設けられている。切替ダンパ２５は、冷蔵室送風ダクト２１の冷蔵室手前側吹出口２３へと通じる箇所を開閉する。
【００４４】
各奥側棚板３２が前述の第１の状態である場合には、図１に示すように、切替ダンパ２５は閉じている。このため、冷蔵室送風ダクト２１に送られた冷気は、冷蔵室手前側吹出口２３からでなく冷蔵室奥側吹出口２２から吹き出す。よって、それぞれの冷蔵室奥側吹出口２２から冷蔵室７内の各棚に冷気を行き渡らせることができる。
【００４５】
一方、各奥側棚板３２が前述の第２の状態となり冷蔵室７内が前後に仕切られている場合には、図４に示すように、切替ダンパ２５が開かれる。この状態においては、冷蔵室７内の奥側棚板３２及び最上段棚遮蔽板４０よりも奥側は、密閉されている。このため、冷蔵室送風ダクト２１に送られた冷気は、主に冷蔵室手前側吹出口２３から吹き出す。したがって、収納物のない奥側を不必要に冷却することなく、収納物のある手前側だけを効率的に冷却できる。そして、消費エネルギーの低減を図ることが可能である。
【００４６】
切替ダンパ２５の切り替えは、操作パネル５で使用者が行ってもよいし、自動で行ってもよい。自動で行う場合、例えば、冷蔵室７内の奥側に受光センサを設けることで各奥側棚板３２が前述の第２の状態となっているか否かを検出することが考えられる。例えば、奥側棚受け３５が手前側棚受け３４から突出しているか手前側棚受け３４内に入っているかで、冷蔵室７内の図示しない庫内灯からの光の受光状態が異なるような位置に受光センサを設置する。そして、扉開閉検知センサ１３が冷蔵室扉５１が開いていることを検出している時における受光センサの検出結果によって、各奥側棚板３２が前述の第２の状態となっているか否かを検出する。
【００４７】
なお、以上で説明した構成例では、同一の冷蔵室送風ダクト２１に冷蔵室奥側吹出口２２及び冷蔵室手前側吹出口２３の両方を設けていた。この構成に関しては、他に例えば、風路２０から冷蔵室奥側吹出口２２に通じるダクトと冷蔵室手前側吹出口２３に通じるダクトとに分岐させるようにしてもよい。そして、これらのダクトの分岐部分に切替ダンパ２５を設けるようにしてもよい。このようにすることで、各奥側棚板３２を前述の第２の状態にして冷蔵室７内を前後に仕切った場合に、より確実に冷蔵室７の奥側への冷気送風を遮断できる。したがって、消費エネルギーの低減をより確実に図ることが可能である。
【００４８】
また、以上で説明した構成例において、一部の冷蔵室棚板３０の奥側棚板３２のみを前述の第２の状態にし、他の冷蔵室棚板３０の奥側棚板３２を前述の第１の状態のままで使用する場合も考えられる。この場合には、より上段にある冷蔵室棚板３０の奥側棚板３２から下段に向かって順番に第２の状態にするのがよい。例えば、当該段の１つ上段の奥側棚板３２が前述の第１の状態のまま、当該段の奥側棚板３２を前述の第２の状態にした場合、当該段では手前側棚板３１のみにした収納物を載置できない一方で、当該段の奥側の空間は開放されている。このため、収納物がない当該段の奥側の空間にも冷蔵室奥側吹出口２２から冷気が供給され、無駄が多くなってしまう。また、当該段の手前側棚板３１上の物が奥側に転落する可能性もある。
【００４９】
そこで、当該段の１つ上段の奥側棚板３２が前述の第２の状態でないと、当該段の奥側棚板３２を前述の第２の状態にできないようにする機構を備えてもよい。図５及び図６に示すのは、そのような機構の一例である。この例では、スライド軸３７と回転ストッパー３８とが設けられている。
【００５０】
回転ストッパー３８は、例えば円弧状の部材である。回転ストッパー３８は、奥側棚受け３５の突起の周囲に回転可能に設けられている。回転ストッパー３８が手前側にあるとき、奥側棚受け３５の突起が回転ストッパー３８に当たり、奥側棚受け３５の手前側への移動が阻止される。回転ストッパー３８が奥側に移動すると、奥側棚受け３５の突起が回転ストッパー３８に当たらなくなり、奥側棚受け３５の手前側への移動が可能となる。
【００５１】
スライド軸３７は棒状の部材である。スライド軸３７の一端は、１つ上段の奥側棚受け３５に回転可能に連結されている。スライド軸３７の他端は、当該段の回転ストッパー３８に連結されている。
【００５２】
図５に示すように１つ上段の奥側棚受け３５が奥側棚板３２を支持する位置にあるとき、スライド軸３７によって当該段の回転ストッパー３８は手前側に位置する。したがって、当該段の奥側棚受け３５の手前側への移動が阻止される。
【００５３】
一方、図６に示すように、１つ上段の奥側棚受け３５を手前側に移動させると、スライド軸３７と回転ストッパー３８とにより、奥側棚受け３５の直線移動が回転ストッパー３８の回転移動に変換され、当該段の回転ストッパー３８は奥側に位置する。したがって、奥側棚板３２の手前側への移動が可能となる。このような機構を備えることで、上段の棚から順番に前後に仕切られていくため、前述したような無駄な冷気の供給及び収納物の転落を抑制できる。
【符号の説明】
【００５４】
１    冷蔵庫
２    圧縮機
３    冷却器
４    送風機
５    操作パネル
６    制御装置
７    冷蔵室
８    チルド室
９    切替室
１０    製氷室
１１    冷凍室
１２    野菜室
１３    扉開閉検知センサ
２０    風路
２１    冷蔵室送風ダクト
２２    冷蔵室奥側吹出口
２３    冷蔵室手前側吹出口
２４    冷蔵室吸込口
２５    切替ダンパ
３０    冷蔵室棚板
３１    手前側棚板
３２    奥側棚板
３３    ヒンジ部
３４    手前側棚受け
３５    奥側棚受け
３６    スライドつまみ
３７    スライド軸
３８    回転ストッパー
４０    最上段棚遮蔽板
５０    断熱箱体
５１    冷蔵室扉
【図１】
2019138557.tif 000003
【図２】
2019138557.tif 000004
【図３】
2019138557.tif 000005
【図４】
2019138557.tif 000006
【図５】
2019138557.tif 000007
【図６】
2019138557.tif 000008